(57)【要約】【課題】打撃式破砕機において、堆積したダストを除去するための清掃作業の頻度を削減する。【解決手段】打撃式破砕機は、主軸２１と、複数のディスク部材２３と、ロータライナ２５と、ハンマ２４と、ダスト侵入防止部材２６と、を備える。複数のディスク部材２３は、主軸２１の軸線方向に間隔をあけて並べて配置され、主軸２１と一体的に回転する。ロータライナ２５は、ディスク部材２３の間のディスク状空間Ｓの外周のうち一部を閉鎖する。ハンマ２４は、ロータライナ２５が配置されていない部分である開口部２７において、ディスク部材２３の間に揺動可能に軸支持される。ダスト侵入防止部材２６は、ディスク部材２３の間で、ロータライナ２５よりも主軸２１の軸線に近い側に配置される。ハンマ２４、ロータライナ２５及びダスト侵入防止部材２６が、ディスク部材２３に対する設置位置を周方向で変更可能に設けられている。【選択図】図２
2018094536.tif 000002
【特許請求の範囲】
【請求項１】
主軸と、
前記主軸の軸線方向に間隔をあけて並べて配置され、前記主軸と一体的に回転する複数のディスク部材と、
前記ディスク部材の間の空間の外周のうち一部を閉鎖する外周閉鎖部材と、
前記外周閉鎖部材が配置されていない部分である開口部において、前記ディスク部材の間に揺動可能に軸支持されるハンマと、
前記ディスク部材の間で、前記外周閉鎖部材よりも前記主軸の軸線に近い側に配置されるダスト侵入防止部材と、
を備え、
前記ハンマ、前記外周閉鎖部材及び前記ダスト侵入防止部材が、前記ディスク部材に対する設置位置を周方向で変更可能に設けられていることを特徴とする打撃式破砕機。
【請求項２】
請求項１に記載の打撃式破砕機であって、
前記ダスト侵入防止部材は、前記外周閉鎖部材に着脱可能に設置されることを特徴とする打撃式破砕機。
【請求項３】
請求項２に記載の打撃式破砕機であって、
前記ディスク部材の間の空間には前記主軸を取り囲む筒部が配置され、
前記ダスト侵入防止部材は、前記筒部と前記外周閉鎖部材との間に挟み込まれて支持されることを特徴とする打撃式破砕機。
【請求項４】
請求項２又は３に記載の打撃式破砕機であって、
前記外周閉鎖部材には、前記主軸の軸線に近づく向きに突出するリブが形成されており、
前記ダスト侵入防止部材には、前記リブを差込可能な凹部が形成されていることを特徴とする打撃式破砕機。
【請求項５】
請求項１に記載の打撃式破砕機であって、
前記ダスト侵入防止部材は、前記ディスク部材及び／又は前記外周閉鎖部材に締結部材を用いて固定されることを特徴とする打撃式破砕機。
【請求項６】
請求項１に記載の打撃式破砕機であって、
前記ダスト侵入防止部材は、前記ハンマ又は前記外周閉鎖部材を支持する軸に通貫されて支持されることを特徴とする打撃式破砕機。
【請求項７】
請求項１から６までの何れか一項に記載の打撃式破砕機であって、
前記主軸の軸線方向で見たときに、前記ダスト侵入防止部材は、前記ディスク部材の周方向で前記ハンマの回転軌跡を挟むように対で備えられていることを特徴とする打撃式破砕機。
【請求項８】
請求項１から７までの何れか一項に記載の打撃式破砕機であって、
前記主軸の軸線方向で見たときに、前記ダスト侵入防止部材は線対称形状に構成されていることを特徴とする打撃式破砕機。
【請求項９】
請求項１から８までの何れか一項に記載の打撃式破砕機であって、
前記ハンマは、前記ディスク部材の間の空間を周方向で等分割した複数の角度範囲のうち一部の角度範囲に配置されており、
前記外周閉鎖部材は、前記ハンマが配置されていない前記角度範囲に、当該角度範囲ごとに配置されており、
前記ダスト侵入防止部材は、前記ハンマが配置されている前記角度範囲に隣接する前記角度範囲に配置されていることを特徴とする打撃式破砕機。
【請求項１０】
請求項１から９までの何れか一項に記載の打撃式破砕機に備えられることを特徴とするダスト侵入防止部材。
【発明の詳細な説明】
【技術分野】
【０００１】
本発明は、打撃式破砕機に関する。
【背景技術】
【０００２】
従来から、対象物に打撃を与えることによって当該対象物を破砕する打撃式破砕機が知られている。特許文献１は、この種の打撃式破砕機を開示する。
【０００３】
特許文献１の打撃式破砕機は、回転体を備えている。特許文献１には回転体の詳細な構成については記載されていないが、回転体は、例えば、回転駆動される主軸（シャフト）と、当該主軸に沿って間隔を空けて配置されて当該主軸と一体的に回転するディスク部材と、ディスク部材の間の空間に揺動可能に設けられるハンマと、を備えるものとすることが考えられる。この構成で、主軸及びディスク部材を回転させると、ハンマに遠心力が作用し、当該ハンマがディスク部材の外方に向かって突出した状態となる。この状態において、打撃式破砕機に対象物を投入すると、ハンマが対象物に打撃を与え、これにより対象物が破砕されて破片となる。
【先行技術文献】
【特許文献】
【０００４】
【特許文献１】特表２０１４−５００７９６号公報
【発明の概要】
【発明が解決しようとする課題】
【０００５】
上記のような構成の打撃式破砕機では、反作用として加わる衝撃に対してハンマが十分に揺動（回転）して逃げることを可能とするために、ディスク部材の間の空間の外周のうち、少なくともハンマの回転軌跡と重複する範囲は、外部に対して開放された開口部をなす構成となっていた。そのため、この開口部から、ディスク部材の間の空間の内部に、対象物を破砕した際に生じたダストが侵入し、堆積するという問題があった。
【０００６】
ディスク部材の間の空間の内部に不均一にダストが堆積すると、主軸及びディスク部材が回転する際に重力バランスに偏りがあるために振動が発生し、打撃式破砕機の周辺の環境を悪化させる場合があった。一方、ディスク部材の間の空間の内部からダストを取り除くための清掃作業は大変手間が掛かり、清掃作業の頻度を削減することが強く望まれていた。
【０００７】
本発明は以上の事情に鑑みてされたものであり、その目的は、打撃式破砕機において、堆積したダストを除去するための清掃作業の頻度を削減することにある。
【課題を解決するための手段】
【０００８】
本発明の解決しようとする課題は以上の如くであり、次にこの課題を解決するための手段とその効果を説明する。
【０００９】
本発明の観点によれば、以下の構成の打撃式破砕機が提供される。即ち、この打撃式破砕機は、主軸と、複数のディスク部材と、外周閉鎖部材と、ハンマと、ダスト侵入防止部材と、を備える。前記複数のディスク部材は、前記主軸の軸線方向に間隔をあけて並べて配置され、前記主軸と一体的に回転する。前記外周閉鎖部材は、前記ディスク部材の間の空間の外周のうち一部を閉鎖する。前記ハンマは、前記外周閉鎖部材が配置されていない部分である開口部において、前記ディスク部材の間に揺動可能に軸支持される。前記ダスト侵入防止部材は、前記ディスク部材の間で、前記外周閉鎖部材よりも前記主軸の軸線に近い側に配置される。また、前記ハンマ、前記外周閉鎖部材及び前記ダスト侵入防止部材は、前記ディスク部材に対する設置位置を周方向で変更可能に設けられている。
【００１０】
これにより、ディスク部材の間の空間にダストが開口部を介して侵入しても、当該空間の奥に当該ダストが入り込むことをダスト侵入防止部材によって防止することができる。この結果、振動発生の原因となるダストを除去するための清掃作業の頻度及び手間を軽減することができる。また、ハンマの近傍部分におけるディスク部材の摩耗等を理由として当該ハンマの設置位置を変更してローテーションしたい場合があるが、この場合でも、ダスト侵入防止部材の位置を容易に変更して対応することができる。
【発明の効果】
【００１１】
本発明によれば、打撃式破砕機において、堆積したダストを除去するための清掃作業の頻度を削減することができる。
【図面の簡単な説明】
【００１２】
【図１】本発明の一実施形態に係る打撃式破砕機の全体的な構成を示す側面模式図。
【図２】ディスク部材の間のディスク状空間を主軸の回転軸線に沿った方向で見たときの様子を模式的に示す図。
【図３】ロータライナ及びダスト侵入防止部材を着脱する様子を示す斜視図。
【発明を実施するための形態】
【００１３】
次に、図面を参照して本発明の実施の形態を説明する。図１は、本発明の一実施形態に係る打撃式破砕機１０の全体的な構成を示す側面模式図である。
【００１４】
打撃式破砕機１０は、投入された対象物に打撃を与えることによって当該対象物を破砕して破片にするものである。打撃式破砕機１０に投入される対象物としては、廃車、金属スクラップ、産業廃棄物（粗大ごみ）等の、比較的大型で寸法や強度のバラツキが大きいものが想定されている。
【００１５】
本実施形態の打撃式破砕機１０は、ケース１と、ロールフィーダ１２と、グレート１３と、調整式天井グレート１４と、回転体２０と、を主として備えている。
【００１６】
ケース１は、打撃式破砕機１０の外郭をなすものであり、内部にロールフィーダ１２、グレート１３、調整式天井グレート１４、及び回転体２０が収容される。ケース１の上部には外部に開放された投入口２が形成されており、この投入口２から対象物を打撃式破砕機１０の内部に投入できるようになっている。ケース１の下端部は防振部材３，３，・・・を介して地面や床等に設置されている。
【００１７】
ロールフィーダ１２，１２は、回転することにより、投入された対象物が回転体２０へ向かうことを促進する。また、ロールフィーダ１２，１２が回転することにより、対象物が概ね一定量ずつ回転体２０の方へと供給される。なお、図１では打撃式破砕機１０に複数のロールフィーダ１２，１２が備えられている場合を図示しているが、これは例示に過ぎず、ロールフィーダ１２の数はこれよりも多くても少なくてもよい。
【００１８】
回転体２０は、対象物に打撃を与えて破砕するものである。回転体２０が回転することにより、遠心力によってハンマ２４が回転体２０の外方に突出して対象物に作用する。回転体２０の詳細な構成については後述する。
【００１９】
グレート１３は、回転体２０の下部に沿うように配置される。グレート１３には所定の寸法の排出口が設けられる。回転体２０で破砕されて一定の大きさ以下となった破片は、グレート１３の前記排出口を通って打撃式破砕機１０の下方に設置されたコンベヤ又は振動フィーダの上に落下し、搬送される。
【００２０】
調整式天井グレート１４は、回転体２０の上方に配置される。調整式天井グレート１４には、排出口が設けられている。回転体２０で破砕されて小さくなった破片は、調整式天井グレート１４の前記排出口を通って打撃式破砕機１０の下方に設置されたコンベヤ又は振動フィーダの上に落下し、搬送される。
【００２１】
次に、回転体２０の詳細な構成について、図２等を参照して説明する。図２は、ディスク部材２３の間のディスク状空間Ｓを主軸２１の回転軸線に沿った方向で見たときの様子を模式的に示す図である。
【００２２】
回転体２０は、主軸２１と、複数のピン２２と、複数のディスク部材２３と、複数のハンマ２４と、複数のロータライナ（外周閉鎖部材）２５と、複数のダスト侵入防止部材２６と、を主として備えている。
【００２３】
主軸２１は、図略の駆動源により回転駆動される長い軸状の部材である。主軸２１には、その回転軸線方向に間隔をおいて複数のスペーサ（筒部）２９が配置される。本実施形態におけるそれぞれのスペーサ２９は、主軸２１を取り囲むように略正６角形の筒状に形成されており、主軸２１に対しキー結合により回転不能に固定されている。
【００２４】
ピン２２は、回転体２０の一端から他端まで至る長い軸状の部材である。ピン２２は、主軸２１の回転軸線と平行に配置される。ピン２２は、主軸２１の回転軸線を中心とした周方向に等間隔で並べて配置され、主軸２１と一体的に回転する。本実施形態では、ピン２２は、主軸２１の回転軸線を中心として周方向に６０°おきに６つ並べて配置される。
【００２５】
ディスク部材２３は、円板状の部材である。ディスク部材２３は、主軸２１にその中心部を貫かれた状態で、かつ、複数のピン２２にその外周部を貫かれた状態で、主軸２１の軸線方向に一定の間隔をおいて複数並べて配置される。ディスク部材２３は、スペーサ２９に対し回転不能に固定される。主軸２１が回転駆動されるのに伴って、ディスク部材２３は主軸２１と一体的に回転する。
【００２６】
複数のディスク部材２３のうち隣接する２つのディスク部材２３の間には、１つのディスク状空間（空間）Ｓが形成される。即ち、複数のディスク状空間Ｓが、主軸２１の軸線方向に一定の間隔で並べて配置される。
【００２７】
ハンマ２４は、各ディスク状空間Ｓに配置されている。ハンマ２４は、１つのディスク状空間Ｓについて見たときに、複数のピン２２のうちの１つのピン２２又は周方向で互いに隣接しない２つ以上のピン２２に、回転可能に支持されている。ハンマ２４は、ロータライナ２５が配置されていない部分である開口部２７において、ディスク部材２３の間に揺動可能に軸支持される。ハンマ２４の回転軌跡は、開口部２７により確保されている。言い換えれば、ハンマ２４の回転軌跡は、ロータライナ２５と重複しないように配置されている。ハンマ２４は、主軸２１が回転駆動されるのに伴って、対象物に作用する打撃部が遠心力により外方に突出する状態となる。また、ハンマ２４の打撃部に対象物が強い力で衝突した場合には、ハンマ２４が対象物から逃げる方向に回転（揺動）するようになっている。これにより、反作用として生じる強い衝撃によってハンマ２４が破損してしまう事態を生じにくくしている。
【００２８】
ハンマ２４は、主軸２１の軸線方向で隣り合うディスク状空間Ｓについて見たときに、互いに異なるピン２２に支持される。言い換えれば、隣接するディスク状空間Ｓに配置されるハンマ２４同士で異なる位相となるように、ピン２２の何れかにハンマ２４が支持されている。これにより、例えばハンマ２４を、回転体２０の外周に沿って螺旋状に配置することができる。
【００２９】
図２及び図３に示すロータライナ２５は、ディスク部材２３の間のディスク状空間Ｓの外周のうちの一部を閉鎖するものである。本実施形態のロータライナ２５は、ディスク部材２３の間のディスク状空間Ｓの外周のうち、開口部２７以外の部分を閉鎖している。ディスク状空間Ｓのそれぞれについて見たときに、ロータライナ２５は、複数のピン２２のうち、ハンマ２４が取り付けられていないピン２２のそれぞれに、ディスク状空間Ｓを径方向外側から覆うように取り付けられる。
【００３０】
ロータライナ２５の構成について、図３を参照してより詳細に説明する。図３は、ロータライナ２５及びダスト侵入防止部材２６を着脱する様子を示す斜視図である。
【００３１】
ロータライナ２５は、閉鎖部２５ａと、ピン挿入筒部２５ｂと、リブ２５ｃと、を有する。
【００３２】
閉鎖部２５ａは、ディスク状空間Ｓを径方向外側から覆うものである。閉鎖部２５ａは円弧状の板をなしている。この円弧は、主軸２１の回転軸線を中心とする円の円弧（回転体２０の外周をなす円弧）に相当し、略６０°の角度範囲にわたって形成されている。閉鎖部２５ａの回転軸線に沿う方向での閉鎖部２５ａの長さは、ディスク状空間Ｓの厚みを覆うことが可能な長さとされている。
【００３３】
ピン挿入筒部２５ｂは、ピン２２が挿入される部分であり、筒状に形成される。ピン挿入筒部２５ｂに形成される貫通孔は、主軸２１の回転軸線と平行に向けられる。ピン挿入筒部２５ｂは、閉鎖部２５ａよりも、主軸２１の回転軸線に近い側に配置されている。ピン挿入筒部２５ｂは、閉鎖部２５ａの円弧の角度範囲の中央に配置され、閉鎖部２５ａと一体的に形成されている。
【００３４】
リブ２５ｃは、閉鎖部２５ａの内側の面（ディスク状空間Ｓに露出される面）と、ピン挿入筒部２５ｂの外周面と、の間に形成される、一定の厚みを有する突出部である。リブ２５ｃは、主軸２１の回転軸線に近づく向きに突出している。
【００３５】
図２及び図３に示すダスト侵入防止部材２６は、ディスク状空間Ｓの内部へのダストの侵入を防止するものである。ダスト侵入防止部材２６は、隣接するディスク部材２３の間で、ロータライナ２５よりも主軸２１の回転軸線に近い側に配置される。ダスト侵入防止部材２６は、開口部２７の奥において、ロータライナ２５と主軸２１との間の隙間を埋めるように配置される。
【００３６】
ダスト侵入防止部材２６は、図３に示すように、１対の延出部２６ａ，２６ａと、接続部２６ｂと、補強部２６ｃ，２６ｃと、を有する。
【００３７】
１対の延出部２６ａ，２６ａは、細長い板状に形成されている。１対の延出部２６ａ，２６ａは、長手方向の一端部の方が他端部よりも互いの距離が近づくような姿勢で対面している。それぞれの延出部２６ａの長手方向の長さは、スペーサ２９の外周面からロータライナ２５の閉鎖部２５ａの内周面までの距離と概ね等しくなっている。主軸２１の回転軸線に沿う方向での延出部２６ａの長さは、隣り合うディスク部材２３の間に形成される隙間の大きさ（ディスク状空間Ｓの厚み）と略同じに形成されている。
【００３８】
接続部２６ｂは、１対の延出部２６ａ，２６ａの一端部同士を接続する板状の部分である。本実施形態では、１対の延出部２６ａ，２６ａのうちの一方の延出部２６ａに接続される側の端部から他方の延出部２６ａに接続される側の端部までの接続部２６ｂの長さは、主軸２１の回転軸線に沿った方向で見たときに、略正６角筒として形成されるスペーサ２９の外形である正６角形の１辺の長さよりも多少短くなっている。
【００３９】
補強部２６ｃは、延出部２６ａと接続部２６ｂの間を接続するように設けられる小片状の部分である。延出部２６ａと接続部２６ｂとの間に補強部２６ｃが設けられることにより、ダスト侵入防止部材２６がその形状を維持するように補強されている。
【００４０】
延出部２６ａにおいて接続部２６ｂが配置されない側の端部には、ロータライナ２５のリブ２５ｃを差し込むための凹部２６ｄが形成されている。凹部２６ｄは、リブ２５ｃを差し込むことができる程度の深さの溝状に形成されている。
【００４１】
ダスト侵入防止部材２６は、主軸２１の回転軸線に沿った方向で見たとき、線対称な形状に形成されている。更に言えば、ダスト侵入防止部材２６は、図３に示すように、主軸２１の回転軸線に垂直な向きの中心線Ｃに関して１８０°回転対称な形状に設けられている。なお、ダスト侵入防止部材２６に限らず、ロータライナ２５及びハンマ２４の形状も、主軸２１の回転軸線に垂直な向きの中心線Ｃに関して１８０°回転対称となっている。
【００４２】
このような構成のダスト侵入防止部材２６は、その接続部２６ｂがスペーサ２９に接触し、その延出部２６ａ，２６ａの他端部がロータライナ２５に接触した状態で、ディスク状空間Ｓ内の、ロータライナ２５よりも主軸２１の回転軸線に近い側に配置される。このとき、接続部２６ｂは、主軸２１の回転軸線に沿った方向で見たときに、スペーサ２９がなす正６角形の１辺に沿うようにしてスペーサ２９の外周面に接触する。一方、延出部２６ａ，２６ａの他端部は、その凹部２６ｄにロータライナ２５のリブ２５ｃが差し込まれた状態で、閉鎖部２５ａの内周面に接触又は近接する。これにより、ダスト侵入防止部材２６は、ロータライナ２５及びスペーサ２９に対して容易に着脱可能な態様で設置される。特に、本実施形態のダスト侵入防止部材２６は、スペーサ２９とロータライナ２５との間に挟み込まれて支持されるので、設置のために締結部材等の別途の部材を要しない。よって、ディスク状空間Ｓにダスト侵入防止部材２６を極めて容易に配置することができる。
【００４３】
ダスト侵入防止部材２６をディスク状空間Ｓに取り付けると、開口部２７と、ディスク状空間Ｓの（開口部２７からみて）奥側と、がダスト侵入防止部材２６によって区画されることとなる。とりわけ、本実施形態では、図２に示すように、主軸２１の回転軸線に沿った方向で見たときに、ダスト侵入防止部材２６は、ディスク部材２３の周方向でハンマ２４の回転軌跡を挟むように対で備えられている。より具体的には、ダスト侵入防止部材２６は、主軸２１の回転軸線に沿った方向でみたときに、ハンマ２４が配置されている角度範囲に隣接する両側の角度範囲のロータライナ２５に、設置されている。言い換えれば、ダスト侵入防止部材２６は、ハンマ２４が配置されている角度範囲に隣接する角度範囲に配置されている。これにより、開口部２７を介してディスク状空間Ｓ内に入ってきたダストが、ディスク状空間Ｓの奥にダストが入り込むことを確実に防止することができる。具体的には、ロータライナ２５の閉鎖部２５ａの内周面にダストが堆積することを抑制することができる。
【００４４】
また、本実施形態の回転体２０は、主軸２１の回転軸線に沿った方向でみたときに、ディスク状空間Ｓを周方向で６つに等分割して得られる角度範囲（６０°の角度範囲）のそれぞれにピン２２が配置された構成となっている。ピン２２は、それぞれの角度範囲の中央となる位置に配置される。そして、ダスト侵入防止部材２６が設置される位置は、上記の角度範囲を単位として、他の角度範囲に容易に変更することができる。
【００４５】
更に、本実施形態では、ハンマ２４及びロータライナ２５が設置される位置も、上記の角度範囲を単位として容易に変更できるようになっている。言い換えれば、ハンマ２４及びロータライナ２５を何れのピン２２に支持させるかを変更することができる。
【００４６】
即ち、各ディスク状空間Ｓについて見たときに、各ピン２２を中央にして周方向の一方向へ３０°、反対方向へ３０°の角度範囲には、ハンマ２４又はロータライナ２５の何れかが選択的に設置される。ハンマ２４又はロータライナ２５は、ディスク状空間Ｓにおいてピン２２に嵌装されることにより、支持される。
【００４７】
ところで、従来より、打撃式破砕機においては、稼動時間が長くなるにつれて、ハンマの近傍におけるディスク部材の摩耗が、他の部分（ハンマの近傍以外）のディスク部材の摩耗よりも早く進むことが知られている。具体的には、ダストを含んだ空気がハンマに切られて当該ハンマの両側に多く流れるため、空気に含まれるダストがハンマの両側のディスク部材に衝突し易く、それにより、当該場所で摩耗が比較的早く進む。このような事情により、ハンマの設置位置を周方向の別の場所に変更してローテーションしたい場合があった。
【００４８】
そのような場合、本実施形態の打撃式破砕機１０では、ハンマ２４及びロータライナ２５はピン２２に嵌装されて設置されているため、ピン２２を抜くことで図３に示すようにハンマ２４及びロータライナ２５を取り外し、回転体２０に対する取付位置を容易に変更することができる。
【００４９】
また、本実施形態のダスト侵入防止部材２６は、スペーサ２９とロータライナ２５との間に挟み込まれて支持されているだけであるので、ハンマ２４の位置を移動（ローテーション）させた際に、それに併せてダスト侵入防止部材２６の位置も容易に変更することができる。このように、本実施形態の打撃式破砕機１０では、ハンマ２４の設置位置を変更してローテーションしたいような場合に、ダスト侵入防止部材２６の位置も容易に変更して対応することができる。
【００５０】
以上に説明したように、本実施形態の打撃式破砕機１０は、主軸２１と、複数のディスク部材２３と、ロータライナ（外周閉鎖部材）２５と、ハンマ２４と、ダスト侵入防止部材２６と、を備える。複数のディスク部材２３は、主軸２１の軸線方向に間隔をあけて並べて配置され、主軸２１と一体的に回転する。ロータライナ２５は、ディスク部材２３の間のディスク状空間（空間）Ｓの外周のうち一部を閉鎖する。ハンマ２４は、ロータライナ２５が配置されていない部分である開口部２７において、ディスク部材２３の間に揺動可能に軸支持される。ダスト侵入防止部材２６は、ディスク部材２３の間で、ロータライナ２５よりも主軸２１の回転軸線（軸線）に近い側に配置される。また、ハンマ２４、ロータライナ２５及びダスト侵入防止部材２６が、ディスク部材２３に対する設置位置を周方向で変更可能に設けられている。
【００５１】
これにより、ディスク部材２３の間のディスク状空間Ｓにダストが開口部２７を介して侵入しても、当該ディスク状空間Ｓの奥に当該ダストが入り込むことをダスト侵入防止部材２６によって防止することができる。この結果、振動発生の原因となるダストを除去するための清掃作業の頻度及び手間を軽減することができる。また、ハンマ２４の近傍部分におけるディスク部材２３の摩耗等を理由として当該ハンマ２４の設置位置を変更してローテーションしたい場合があるが、この場合でも、ダスト侵入防止部材２６の位置を容易に変更して対応することができる。
【００５２】
また、本実施形態の打撃式破砕機１０においては、ダスト侵入防止部材２６は、ロータライナ２５に着脱可能に設置される。
【００５３】
これにより、ダスト侵入防止部材２６の位置変更作業を簡単に行うことができる。
【００５４】
また、本実施形態の打撃式破砕機１０においては、ディスク部材２３の間のディスク状空間Ｓには主軸２１を取り囲むスペーサ２９が配置される。ダスト侵入防止部材２６は、スペーサ２９とロータライナ２５との間に挟み込まれて支持される。
【００５５】
これにより、簡単な構成で、ディスク部材２３の間のディスク状空間Ｓにダスト侵入防止部材２６を配置することができる。
【００５６】
また、本実施形態の打撃式破砕機１０においては、ロータライナ２５には、主軸２１の回転軸線に近づく向きに突出するリブ２５ｃが形成されている。ダスト侵入防止部材２６には、リブ２５ｃを差込可能な凹部２６ｄ，２６ｄが形成されている。
【００５７】
これにより、ダスト侵入防止部材２６がロータライナ２５に着脱可能な簡素な構成を実現できる。
【００５８】
また、本実施形態の打撃式破砕機１０においては、主軸２１の回転軸線に沿った方向で見たときに、ダスト侵入防止部材２６は、ディスク部材２３の周方向でハンマ２４の回転軌跡を挟むように対で備えられている。
【００５９】
これにより、ディスク部材２３の間の空間の奥にダストが入り込むことを確実に防止することができる。
【００６０】
また、本実施形態の打撃式破砕機１０においては、主軸２１の回転軸線に沿った方向で見たときに、ダスト侵入防止部材２６は線対称形状に構成されている。更に言えば、本実施形態の打撃式破砕機１０においては、ダスト侵入防止部材２６は１８０°回転対称な形状に形成されている。
【００６１】
これにより、ダスト侵入防止部材２６を設置する向きを管理する必要がなくなるので、組立作業及び位置変更作業が容易になる。また、ダスト侵入防止部材２６の一側が摩耗した場合でも、取り付ける向きを１８０°回転させて反対側を使用することができるので、耐久性を向上させることができる。
【００６２】
また、本実施形態の打撃式破砕機１０においては、ハンマ２４及びロータライナ２５は１８０°回転対称な形状に形成されている。
【００６３】
これにより、ハンマ２４及びロータライナ２５を設置する向きも管理する必要がなくなるので、組立作業及び位置変更作業が一層容易になる。
【００６４】
また、本実施形態の打撃式破砕機１０においては、ハンマ２４は、ディスク部材２３の間のディスク状空間Ｓを周方向で等分割した６つの角度範囲のうち一部の角度範囲に配置されている。ロータライナ２５は、ハンマ２４が配置されていない角度範囲に、当該角度範囲ごとに配置されている。ダスト侵入防止部材２６は、ハンマ２４が配置されている角度範囲に隣接する角度範囲に配置されている。
【００６５】
これにより、ハンマ２４、ロータライナ２５及びダスト侵入防止部材２６の位置を、所定の角度範囲（各ピン２２を角度範囲の中央とした６０°の角度範囲）を単位として容易に変更することができる。また、ダスト侵入防止部材２６をハンマ２４に近接して配置することができるので、ディスク部材２３の間の空間にダストが溜まりにくい構成を実現することができる。
【００６６】
また、本実施形態の打撃式破砕機１０に設けられるダスト侵入防止部材２６は、１対の延出部２６ａ，２６ａと、当該１対の延出部２６ａ，２６ａの一端部同士を接続する接続部２６ｂと、を備える。このダスト侵入防止部材２６においては、接続部２６ｂがスペーサ２９に接触し、１対の延出部２６ａ，２６ａがロータライナ２５に接触した状態で設けられる。
【００６７】
これにより、簡単な構成のダスト侵入防止部材２６により、ディスク部材２３の間のディスク状空間Ｓの奥にダストが入り込むことを防止することができる。
【００６８】
次に、上記実施形態の変形例について簡単に説明する。なお、本変形例の説明においては、前述の実施形態と同一又は類似の部材には図面に同一の符号を付し、説明を省略する場合がある。
【００６９】
＜変形例１＞
上記の実施形態では、ダスト侵入防止部材２６は、締結部材等を用いることなく、スペーサ２９とロータライナ２５との間に挟み込まれて支持されるものとした。しかしながら、必ずしもこれに限るものではなく、例えばこれに代えて、延出部２６ａとディスク部材２３とがステー等を介して重ね合わされて、当該ステーとディスク部材２３とがボルト等の締結部材を用いて固定されているものとしてもよい。或いは、延出部２６ａの先端部から取付部が延出するものとし、この取付部がロータライナ２５と重ね合わさされて、当該取付部とロータライナ２５とがボルト等の締結部材を用いて固定されているものとしてもよい。或いは、ダスト侵入防止部材２６が、ステー等を介してディスク部材２３及びロータライナ２５の両方に固定されているものとしてもよい。
【００７０】
この構成とした場合、ダスト侵入防止部材２６を確実に所望の位置に強固に固定することができ、ダスト侵入防止部材２６の脱落を防止することができる。
【００７１】
このように、この変形例に係る打撃式破砕機１０においては、ダスト侵入防止部材２６は、ディスク部材２３又はロータライナ２５の少なくとも何れかに締結部材を用いて固定される。
【００７２】
これにより、ダスト侵入防止部材２６がディスク部材２３又はロータライナ２５の少なくとも何れかに着脱可能に固定される簡素な構成を実現することができる。
【００７３】
＜変形例２＞
上記の実施形態では、ダスト侵入防止部材２６は、スペーサ２９とロータライナ２５との間に挟み込まれることにより支持されるものとした。しかしながら、これに代えて、ダスト侵入防止部材２６がピン２２を挿入するためのピン挿入筒部を備えるものとし、このピン挿入筒部がピン２２に嵌装（通貫）されることによりダスト侵入防止部材２６がディスク状空間Ｓに設けられるものとしてもよい。
【００７４】
このように、この変形例に係る打撃式破砕機１０においては、ダスト侵入防止部材２６は、ハンマ２４又はロータライナ２５を支持するピン２２に通貫されて支持される。
【００７５】
これにより、少ない部品点数でダスト侵入防止部材２６を支持する構成を実現できる。
【００７６】
以上に本発明の好適な実施の形態及び変形例を説明したが、上記の構成は例えば以下のように変更することができる。
【００７７】
上記の実施形態では、ダスト侵入防止部材２６は、ディスク部材２３の周方向でハンマ２４の回転軌跡を挟むように対で（両側に）備えられるものとした。しかしながら、必ずしもこれに限るものではなく、例えばこれに代えて、ディスク部材２３の周方向でハンマ２４の回転軌跡の一側にだけ隣接するようにダスト侵入防止部材２６を備えられるものとしてもよい。例えば、回転体２０の回転方向の影響等でとりわけダストが侵入し易い側にだけダスト侵入防止部材２６を備えるものとすることができる。
【００７８】
上記の実施形態では、ダスト侵入防止部材２６は、延出部２６ａと接続部２６ｂとの間に強度の確保のための補強部２６ｃが設けられるものとした。しかしながら、補強部２６ｃは必須の構成ではなく、省略してもよい。或いは、上記の構成に代えて又は加えて、１対の延出部２６ａ，２６ａ同士を繋ぐ補強部が設けられるものとしてもよい。
【００７９】
上記の実施形態では、ハンマ２４（開口部２７）、ロータライナ２５、及びダスト侵入防止部材２６は、ディスク状空間Ｓを周方向で６つに等分割した角度範囲を単位として配置されている。しかしながら、これらの部材が、例えば３つ、４つ、５つ、又は７つ以上に等分割した角度範囲を単位として配置されても良い。言い換えれば、ピン２２の数は６つに限らず、３つ、４つ、５つ、又は７つ以上とすることができる。
【００８０】
上記の実施形態では、スペーサ２９は主軸２１を取り囲むように略正６角形の筒状に形成されているものとしたが、その形状はこれに限るものではない。即ち、スペーサ２９の形状を、これよりも辺の数が多い又は少ない略正多角形の筒状としてもよいし、円筒状等としてもよい。また、スペーサ２９の形状に合わせて、ダスト侵入防止部材２６の形状も適宜変更可能である。
【００８１】
上記の実施形態で示したダスト侵入防止部材２６の寸法等は、例示に過ぎず、適宜変更可能である。例えば、１対の延出部２６ａ，２６ａのうちの一方の延出部２６ａに接続される側の端部から他方の延出部２６ａに接続される側の端部までの接続部２６ｂの長さを、略正多角形の筒状として形成されるスペーサ２９の１辺の長さよりも長くしてもよい。即ち、ダスト侵入防止部材２６は、ハンマ２４の回転軌跡と重複しないような形状に形成されるものであればよい。
【００８２】
上記の実施形態では、打撃式破砕機１０は、１つの回転体２０を備えるものとしたが、回転体２０の数はこれに限るものではなく、複数の回転体２０を備えるものとしてもよい。
【００８３】
上記の実施形態では、回転体２０の主軸２１は、その回転軸線を水平方向に向けているものとして説明したが（図１を参照）、主軸２１の回転軸線の向きはこれに限るものではない。即ち、回転軸線を上下方向に向けた主軸回りに回転駆動する打撃式破砕機にも、本発明を適用することができる。
【符号の説明】
【００８４】
１０  打撃式破砕機
２１  主軸
２２  ピン
２３  ディスク部材
２４  ハンマ
２５  ロータライナ
２６  ダスト侵入防止部材
Ｓ  ディスク状空間（空間）
【図１】
2018094536.tif 000003
【図２】
2018094536.tif 000004
【図３】
2018094536.tif 000005